(57)【要約】【課題】使用するときの断熱性が良好であり、外観性や美粧性がよく、製造費用が比較的に安価な断熱性カップ状紙容器を提供する。【解決手段】内容物３０を収納したカップ状の紙容器本体１００の上方開口部に、シート状の蓋材２００が開封可能に熱融着して封止する断熱性カップ状紙容器であって、紙容器本体を形成する積層材料２０の構成が、最内層がポリエチレン層２１で、中間層に発泡紙層２２を有し、最外層が紙層２１であり、発泡紙は、ガス内添型の発泡剤を用い、密度が０．２〜０．５ｇ／ｃｍ3 で、かつ坪量を１００〜２００ｇ／ｍ2 にする。【選択図】図１
2006290448.tif 000002
【特許請求の範囲】
【請求項１】
内容物を収納したカップ状の紙容器本体の上方開口部に、シート状の蓋材が開封可能に熱融着して封止するカップ状紙容器において、紙容器本体を形成する積層材料の構成が、最内層がポリエチレン層で、中間層に発泡紙層を有し、最外層が紙層であることを特徴とする断熱性カップ状紙容器。
【請求項２】
発泡紙が、ガス内添型の発泡剤を用いた低密度の発泡紙であることを特徴とする請求項１記載の断熱性カップ状紙容器。
【請求項３】
発泡紙の密度が０．２〜０．５ｇ／ｃｍ3 で、かつ坪量が１００〜２００ｇ／ｍ2 であることを特徴とする請求項１又は請求項２記載の断熱性カップ状紙容器。
【発明の詳細な説明】
【技術分野】
【０００１】
本発明は、ラーメン、味噌汁、スープ、お茶、コーヒーなどのように熱湯を注いで調理して飲食する即席食品を収納し、使用するときに手で扱いやすい断熱性カップ状紙容器に関するものである。
【背景技術】
【０００２】
従来、飲食するときに、熱湯を注いで調理する即席食品などを、収納して使用する断熱性カップ状容器としては、使用するときに手で扱いやすいために、容器本体が断熱性をもつ発泡ポリスチレン製のカップ状容器が一般的に広く使用されていたが、最近では、環境保全の立場から、使用後容器の廃棄処理がしやすい紙を主体とする断熱性カップ状紙容器が使われるようになって来た。この断熱性カップ状紙容器としては、カップ状の紙容器本体の外周に、断熱部材を組み合わせたもの、または、カップ状の紙容器本体の積層材料に、〔内層側〕ポリエチレン層／紙層／発泡紙〔外層側〕構成からなる断熱性積層材料を用いたものなど（例えば、特許文献１参照）があった。
【特許文献１】実開平４−２２０８７号公報
【発明の開示】
【発明が解決しようとする課題】
【０００３】
しかしながら、上述した従来の断熱性カップ状紙容器においては、前者のカップ状紙容器の外周に断熱部材を組み合わせ断熱性カップ状紙容器については、カップ成形工程と別個に断熱材を組み合わせる工程とが必要となり、どうしても容器の製造費用が高くなってしまった。また、後者の〔内層側〕ポリエチレン層／紙層／発泡紙〔外層側〕構成の断熱性積層材料からなる断熱性カップ状紙容器については、商品に係わる絵柄や文字を容器外面の発泡紙の表面に印刷したときに、発泡紙の表面が発泡によって粗面であるために印刷適性が悪く、商品の外観性や美粧性が損なわれて、その商品の商品価値を著しく低下させることなどがあった。
【０００４】
本発明は、容器に収納された内容物に熱湯を注いで内容物を調理し、容器外面に手で触って使用するときの容器の断熱性が良好であり、また、容器の外観性や美粧性がよく、そのうえ、容器の製造費用が比較的に安価である断熱性カップ状紙容器を提供するものである。
【課題を解決するための手段】
【０００５】
すなわち、本発明の第１の発明は、内容物を収納したカップ状の紙容器本体の上方開口部に、シート状の蓋材が開封可能に熱融着して封止するカップ状紙容器において、紙容器本体を形成する積層材料の構成が、最内層がポリエチレン層で、中間層に発泡紙層を有し、最外層が紙層であることを特徴とする断熱性カップ状紙容器である。
【０００６】
また、本発明の第２の発明は、発泡紙が、ガス内添型の発泡剤を用いた低密度の発泡紙であることを特徴とする請求項１記載の断熱性カップ状紙容器である。
【０００７】
そして、本発明の第３の発明は、発泡紙の密度が０．２〜０．５ｇ／ｃｍ3 で、かつ坪量が１００〜２００ｇ／ｍ2 であることを特徴とする請求項１又は請求項２記載の断熱性カップ状紙容器である。
【発明の効果】
【０００８】
本発明の断熱性カップ状紙容器は、紙容器本体を形成する積層材料の中間層に、発泡紙層を有しているため、内容物に熱湯を注いで内容物を調理して飲食するときに、紙容器本体の断熱性が良好であり、紙容器本体の周壁を手で持って扱っても、周壁が熱くなく使用しやすい容器である。
【０００９】
また、本発明の断熱性カップ状紙容器は、最外層がポリエチレン層であり、紙容器本体の表面に絵柄や文字が印刷されたときに、印刷適性がよく容器の外観性や美粧性が損なわれないため、店頭に展示されたときの商品の商品価値が高くなる。
【００１０】
また、本発明の断熱性カップ状紙容器は、断熱性の発泡紙層を中間層に有する積層材料を使用するだけで、従来のカップ製造機でそのまま製造することができ、また、断熱性付与のための別工程を必要としないため、容器の製造費用を、比較的に安価にすることが可能である。
【発明を実施するための最良の形態】
【００１１】
次に、本発明の断熱性カップ状容器の実施形態について、図を用いて詳細に説明する。
【００１２】
図１（ａ）は、本実施形態の断熱性カップ状紙容器の断面図であり、図１（ｂ）は、その紙容器本体を形成する積層材料の構成を示す説明図である。
【００１３】
本実施形態の断熱性カップ状紙容器（１０）の構造は、図１（ａ）に示すように、内容物（３０）を収納したカップ状の紙容器本体（１００）の上方開口部に、シート状の蓋材（２００）が開封可能に熱融着して封止し、紙容器本体が断熱性を有するため、内容物に熱湯を注いで内容物を調理して飲食するときに、紙容器本体の周壁の外周面が熱くなく手で扱いやすいカップ状紙容器である。
【００１４】
本実施形態の紙容器本体（１００）は、積層材料をカップ製造機で製造するものであり、その構造は、図１（ａ）に示すように、シート状の積層材料を背貼り（１３０）した下方が漸次狭くなり円筒状の周壁（１１０）の下端部に、シート状の積層材料からなる円形状の底壁（１２０）を巻き止めして熱融着するものである。また、周壁上端部を外側へ巻き込んで熱融着して、周壁上端に蓋材（２００）を剥離可能に熱融着するトップカール部（１４０）を周設するものである。
【００１５】
紙容器本体を形成するシート状の積層材料（２０）の構成は、図１（ｂ）に示すように、容器内側の最内層がポリエチレン層（２１）で、中間層が発泡紙層（２２）であり、容器外側の最外層を紙層（２３）にするものである。                                  
【００１６】
発泡紙は、ガス内添型の発泡剤を用いるものであり、発泡紙の密度は、手で容器の周壁を掴んで使用するときの断熱性を考慮して、０．２〜０．５ｇ／ｃｍ3 の範囲のものがよく、また、発泡紙の坪量は、使用するときの使いやすさの剛性を考慮して、１００〜２００ｇ／ｍ2 の範囲にするものである。
【００１７】
なお、シート状蓋材は、最下面層に紙容器本体のトップカール部に剥離可能に熱融着する熱可塑性樹脂層を設けるものであり、また、外周一端に、図１（ａ）に示すように、開封用つまみ片（２１０）を突設するものである。
【図面の簡単な説明】
【００１８】
【図１】（ａ）は、本発明の一実施形態の断熱性カップ状紙容器の断面図であり、（ｂ）は、その紙容器本体を形成する積層材料の一実施形態の構成を示す説明図である。
【符号の説明】
【００１９】
１０……断熱性カップ状紙容器
２０……積層材料
２１……ポリエチレン層
２２……発泡紙層
２３……紙層
３０……内容物
１００……紙容器本体
１１０……周壁
１２０……底壁
１３０……背貼り
１４０……トップカール部
２００……シート状蓋材
２１０……開封用つまみ片
【図１】
2006290448.tif 000003